(57)【要約】      （修正有）【課題】煩雑な作業を必要とせずに、複数の商品を積み上げて収納し、そして商品サンプルや商品自体を展示することができる商品収納展示具を提供する。【解決手段】略水平な展示面Ｓの上に載置される底板１と、この底板１から立ち上がった背板２と、この背板２から折れて底板１と対面するように延びる天板３と、この天板３から折れて背板２と対面するように延びる前板４とから商品収納展示具を構成する。また、底板１の上において商品Ｔを縦一列に積み上げ収納可能とし、前板４と底板１との間に、商品Ｔが１個だけ通過し得る間隙を設ける。そして背板２の下端部に、上から下に行くにつれて次第に前方に行くように傾斜した商品案内部４３を設けて、最下段の商品Ｔの後端部が該商品案内部４３により前方に向けて案内されて、その前端部が上記間隙を通過して前板４の前方に突出するように構成する。【選択図】図１
0003191102.tif 000002
【実用新案登録請求の範囲】
【請求項１】
略水平な展示面の上に載置される底板と、この底板から立ち上がった背板と、この背板から折れて前記底板と対面するように延びる天板と、この天板から折れて前記背板と対面するように延びる前板とを有してなる商品収納展示具であって、
前記底板の上において、前記背板と前板との間に所定の商品を縦一列に積み上げ収納可能とされ、
前記前板と前記底板との間に、前記商品が１個だけ通過し得る間隙が設けられ、
前記背板の下端部に、上から下に行くにつれて次第に前方に行くように傾斜した商品案内部が形成され、最下段の前記商品の後端部が前記商品案内部により前方に向けて案内されて該最下段の前記商品の前端部が前記間隙を通過し前記前板の前方に突出するように構成されていることを特徴とする商品収納展示具。
【請求項２】
前記前板の前方および／または前記天板の上方に、前記商品を展示するための展示部が設けられている請求項１記載の商品収納展示具。
【請求項３】
前記背板と前記前板との間に亘る前記天板の寸法および／または前記背板並びに前記前板の高さ方向寸法が変更自在とされている請求項１または２記載の商品収納展示具。
【請求項４】
略平板状の第１部材と、
略Ｌ字形の断面形状を有し、互いに略直角に延びる平板状の第１面および平板状の第２面を有する第２部材と、
略Ｌ字形の断面形状を有し、互いに略直角に延びる平板状の第１面および平板状の第２面を有する第３部材と、
前記商品案内部となる中間面、この中間面を間に置いて互いに略直角に延びる平板状の第１面および平板状の第２面を有する第４部材とからなり、
前記第１部材と、前記第２部材の第１面とが、互いに前記前板の高さ方向寸法を変える方向にスライド可能とする連結機構により連結されて前記前板を構成し、
前記第２部材の第２面と、前記第３部材の第１面とが、互いに前記背板と前記前板との間に亘る天板の寸法を変える方向にスライド可能とする連結機構により連結されて前記天板を構成し、
前記第３部材の第２面と、前記第４部材の第１面とが、互いに前記背板の高さ方向寸法を変える方向にスライド可能とする連結機構により連結されて、それら二つの面および前記中間面が前記背板を構成し、
前記第４部材の第２面が前記底板を構成している請求項３記載の商品収納展示具。
【請求項５】
前記連結機構が、
該連結機構が連結する二つの部材において、それぞれ前記寸法が変更される方向に延びるように形成されたスリットと、
それら二つの部材の各スリットを貫通する少なくとも１つのボルトと、
該ボルトに螺合して前記二つの部材を締付け固定するナットと、
から構成されている請求項４記載の商品収納展示具。
【請求項６】
前記底板の前端部が、前記展示面から上方に離れて位置するように構成されている請求項１から５いずれか１項記載の商品収納展示具。
【考案の詳細な説明】
【技術分野】
【０００１】
本考案は、複数の商品を積み上げて収納する商品収納展示具に関し、特に、積み上げた上に商品サンプルや商品自体を展示するのに適した商品収納展示具に関するものである。
【背景技術】
【０００２】
従来、各種小売店や観光土産店等において、複数の所定商品を縦一列に積み上げて置いておくことが広くなされている。その種の商品は、包装紙等で包装されて中身が見えない状態になっている場合が多い。そのような場合は、積み上げた商品の上に、その中身のサンプルや、あるいは包装を解いた状態の商品を置いて、購入者が商品の中身を確認可能にしていることも多い。
【考案の概要】
【考案が解決しようとする課題】
【０００３】
しかし、積み上げた商品の上に、商品サンプルや包装を解いた商品が置かれていると、商品が購入される都度、その置かれている物を積み上げ商品の上から降ろし、最上段の商品を取った後にその物をまた積み上げ商品の上に戻す、という煩雑な作業が必要になる。
【０００４】
そこで本考案は、上記のような煩雑な作業を必要とせずに、積み上げた複数の商品を順次取り出し可能で、そして商品サンプルや商品自体を展示することができる商品収納展示具を提供することを目的とする。
【課題を解決するための手段】
【０００５】
本考案による商品収納展示具は、縦一列に積み上げた複数の商品を最下段の物から順次取り出せるようにし、そして積み上げた複数の商品の上には天板を存在させて、そこに商品サンプル等を載置可能としたものである。
【０００６】
すなわち本考案による商品収納展示具は、より詳細には、
略水平な展示面の上に載置される底板と、この底板から立ち上がった背板と、この背板から折れて底板と対面するように延びる天板と、この天板から折れて背板と対面するように延びる前板とを有してなる商品収納展示具であって、
底板の上において、背板と前板との間に所定の商品を縦一列に積み上げ収納可能とされ、
前板と底板との間に、商品が１個だけ通過し得る間隙が設けられ、
背板の下端部に、上から下に行くにつれて次第に前方に行くように傾斜した商品案内部が形成され、最下段の商品の後端部が上記商品案内部により前方に向けて案内されて該最下段の商品の前端部が前記間隙を通過し前板の前方に突出するように構成されていることを特徴とするものである。
【０００７】
なお上記商品案内部は、背板の下端部の全域に亘って形成されている必要はない。最下段の商品を前方に向けて案内してその前端部を上記間隙から突出させることができる態様で商品案内部が形成されていればよい。
【０００８】
また、本考案による商品収納展示具においては、前板の前方および／または天板の上方に、商品を展示するための展示部が別途設けられていることが望ましい。
【０００９】
また、本考案による商品収納展示具においては、背板と前板との間に亘る天板の寸法および／または背板並びに前板の高さ方向寸法が変更自在とされていることが望ましい。
【００１０】
そのようにするために本考案の商品収納展示具は、
略平板状の第１部材と、
略Ｌ字形の断面形状を有し、互いに略直角に延びる平板状の第１面および平板状の第２面を有する第２部材と、
略Ｌ字形の断面形状を有し、互いに略直角に延びる平板状の第１面および平板状の第２面を有する第３部材と、
前記商品案内部となる中間面、この中間面を間に置いて互いに略直角に延びる平板状の第１面および平板状の第２面を有する第４部材とからなり、
第１部材と、第２部材の第１面とが、互いに前板の高さ方向寸法を変える方向にスライド可能とする連結機構により連結されて前板を構成し、
第２部材の第２面と、第３部材の第１面とが、互いに背板と前板との間に亘る天板の寸法を変える方向にスライド可能とする連結機構により連結されて天板を構成し、
第３部材の第２面と、第４部材の第１面とが、互いに背板の高さ方向寸法を変える方向にスライド可能とする連結機構により連結されて、それら二つの面および前記中間面が背板を構成し、そして、
第４部材の第２面が底板を構成していることが望ましい。
【００１１】
なお上記の連結機構は、
該連結機構が連結する二つの部材において、それぞれ前記寸法が変更される方向に延びるように形成されたスリットと、
それら二つの部材の各スリットを貫通する少なくとも１つのボルトと、
該ボルトに螺合して前記二つの部材を締付け固定するナットと、
から構成されることが望ましい。
【００１２】
さらに、本考案の商品収納展示具においては、底板の前端部が、前記展示面から上方に離れて位置するように構成されていることが望ましい。
【考案の効果】
【００１３】
本考案による商品収納展示具は上述した通りの構成を有するものであるので、この商品収納展示具によれば、天板の上に商品サンプルや、あるいは包装を解いた商品実物を置いて展示したまま、縦一列に積み上げた複数の商品を、最下段のものから順次取り出し可能となる。よって、商品が購入される都度、商品サンプルや商品実物を積み上げ商品の上から降ろし、また元に戻すといった煩雑な作業を不要にすることができる。
【図面の簡単な説明】
【００１４】
【図１】本考案の一実施形態による商品収納展示具を示す側面図
【図２】上記商品収納展示具を示す平面図
【図３】上記商品収納展示具を示す正面図
【図４】上記商品収納展示具を示す分解斜視図
【図５】上記商品収納展示具の寸法変更を説明する概略図
【図６】上記商品収納展示具の使用状態を示す斜視図
【図７】本考案の別の実施形態による商品収納展示具の要部を示す斜視図
【図８】上記別の実施形態による商品収納展示具を、一部分解して示す側面図
【考案を実施するための形態】
【００１５】
以下、図面を参照して本考案の実施の形態を詳細に説明する。図１、図２および図３はそれぞれ、本考案の一実施形態による商品収納展示具の側面形状、平面形状および正面形状を示すものである。また図４は、この商品収納展示具の分解斜視図である。なお図３は、底部表示のために、上側が紙面奥方に行くように多少傾けた状態を示している。
【００１６】
これらの図に示される通り本実施形態の商品収納展示具は、略水平な展示面Ｓの上に載置される底板１と、この底板１から立ち上がった背板２と、この背板２から折れて上記底板１と対面するように延びる天板３と、この天板３から折れて上記背板２と対面するように延びる前板４とから構成されている。なお上記展示面Ｓは、その上が商品展示用の空間となる面であって、例えば各種小売店における商品展示台の上面等である
図４に示される通り、この商品収納展示具を基本的に構成している部材は、略平板状の第１部材１０と、略Ｌ字形の断面形状を有し、互いに略直角に延びる平板状の第１面２１および平板状の第２面２２を有する第２部材２０と、略Ｌ字形の断面形状を有し、互いに略直角に延びる平板状の第１面３１および平板状の第２面３２を有する第３部材３０と、後述するように商品案内部となる中間面４３、この中間面４３を間に置いて互いに略直角に延びる平板状の第１面４１および平板状の第２面４２を有する第４部材４０の４つである。
【００１７】
以上の部材１０、２０、３０および４０は、例えば合成樹脂や、アルミ合金等の金属を好適に用いて形成される。
【００１８】
前板４は、上記第１部材１０と、第２部材２０の第１面２１とから構成されている。これらの第１部材１０と、第２部材２０の第１面２１とは、前板４の高さ方向寸法（図１の上下方向寸法）を変える方向に互いにスライド可能とする連結機構により連結されている。なお本明細書では、商品収納展示具の前板４側を前方と称することとする。
【００１９】
本実施形態においてこの連結機構は、第１部材１０において上記寸法が変更される方向に延びるスリット１０ａと、第２部材２０の第１面２１において上記寸法が変更される方向に延びるスリット２１ａと、上記二つのスリット１０ａおよび２１ａを貫通する一例として２本のボルト（平頭ビス）５０と、各平頭ビス５０に螺合して第１部材１０と第２部材２０の第１面２１とを締付け固定する蝶ナット５１とから構成されている。この構成によれば、上記締付け固定を行うに当たり、第１部材１０と第２部材２０の第１面２１との相対位置（スリット長さ方向に関する相対位置）を変えることにより、前板４の高さ方向寸法を変更することができる。
【００２０】
天板３は、上記第２部材２０の第２面２２と、上記第３部材３０の第１面３１とから構成されている。これら第２部材２０の第２面２２と、第３部材３０の第１面３１とは、天板３の奥行方向寸法（背板２と前板４との間に亘る寸法）を変える方向に互いにスライド可能とする連結機構により連結されている。
【００２１】
この連結機構は、既述の連結機構と基本的に同様のものであって、第２部材２０の第２面２２において上記寸法が変更される方向に延びるスリット２２ａと、第３部材３０の第１面３１において上記寸法が変更される方向に延びるスリット３１ａと、上記二つのスリット２２ａおよび３１ａを貫通する一例として２本の平頭ビス５０と、各平頭ビス５０に螺合して第２部材２０の第２面２２と、第３部材３０の第１面３１とを締付け固定する蝶ナット５１とから構成されている。この構成によれば、上記締付け固定を行うに当たり、第２部材２０の第２面２２と、第３部材３０の第１面３１との相対位置（スリット長さ方向に関する相対位置）を変えることにより、天板３の奥行方向寸法を変更することができる。
【００２２】
背板２は、上記第３部材３０の第２面３２と、上記第４部材４０の第１面４１並びに中間面４３とから構成されている。第３部材３０の第２面３２と、第４部材４０の第１面４１とは、背板２の高さ方向寸法（図１の上下方向寸法）を変える方向に互いにスライド可能とする連結機構により連結されている。
【００２３】
この連結機構も、既述の連結機構と基本的に同様のものであって、第３部材３０の第２面３２において上記寸法が変更される方向に延びるスリット３２ａと、第４部材４０の第１面４１において上記寸法が変更される方向に延びるスリット４１ａと、上記二つのスリット３２ａおよび４１ａを貫通する一例として２本の平頭ビス５０と、各平頭ビス５０に螺合して第３部材２０の第２面３２と、第４部材４０の第１面４１とを締付け固定する蝶ナット５１とから構成されている。この構成によれば、上記締付け固定を行うに当たり、第３部材３０の第２面３２と、第４部材４０の第１面４１との相対位置（スリット長さ方向に関する相対位置）を変えることにより、背板２の高さ方向寸法を変更することができる。
【００２４】
底板１は、第４部材４０の第２面４２から構成されている。この第２面４２の下面には、中間面４３に近い位置において、球の一部を切り取った形状とされた脚部材４４が、該第２面４２の幅方向（図３の左右方向）に互いに間を置いて２個固着されている。また、それらの脚部材４４の前方側において第２面４２の下面には、角柱状の１本の横部材４５が固着されている。この横部材４５および上記脚部材４４は、例えば合成樹脂や合成ゴム等の滑り難い材料から形成されて、商品収納展示具が展示面Ｓの上で滑ることを防止する。
【００２５】
横部材４５は、脚部材４４よりも厚さが大とされている。そのため、商品収納展示具が展示面Ｓの上に載置されると、底板１である第４部材４０の第２面４２の前端部が、展示面Ｓから上方に離れて位置するようになる。
【００２６】
次に、この商品収納展示具の作用について説明する。図１に示すように商品収納展示具の内部には、背板２と前板４との間において底板１の上に、所定の複数の商品Ｔが縦一列に積み上げて収納される。この商品Ｔは例えば直方体状の箱に入れた上で包装紙によって包装されたものであり、したがって商品中身を外から見ることは不可能となっている。
【００２７】
この包装された直方体状の商品Ｔとしては、その奥行寸法（図１の左右方向寸法）並びに高さ寸法（図１の上下方向寸法）が異なる種々のものを取扱い可能である。商品Ｔの奥行寸法に対して、背板２と前板４との間の間隔はもちろんそれ以上であることが必要である。しかし、後述するように最下段の商品Ｔを前板４の前に突出させる上で、該間隔は商品Ｔの奥行寸法と比べて余りに大ではないことが望ましい。そのように背板２と前板４との間の間隔を適切に設定するために、前述したようにして第２部材２０の第２面２２と、第３部材３０の第１面３１との相対位置（スリット長さ方向に関する相対位置）が変えられ、天板３の奥行方向寸法が変更される。
【００２８】
また、商品Ｔの高さ寸法並びに、その最大積み上げ個数に応じて、底板１と天板３との間の間隔を適切に設定することが望まれる。そのように該間隔を設定するために、前述したようにして第３部材３０の第２面３２と、第４部材４０の第１面４１との相対位置（スリット長さ方向に関する相対位置）が変えられ、背板２の高さ方向寸法が変更される。
【００２９】
一例として、商品収納展示具の幅つまり図３の寸法Ｗが１５０ｍｍの場合において、図５に示す商品収納展示具の奥行方向寸法Ｄは２３０〜３３０ｍｍ程度、また高さ方向寸法Ｈは２９０〜４７０ｍｍ程度の範囲で変更自在とされる。
【００３０】
また、図１に示す通り、前板４の下端と底板１との間には、商品Ｔが１個だけ通過し得る間隙が設けられる。そのような間隙を設定するために、前述したようにして第１部材１０と第２部材２０の第１面２１との相対位置（スリット長さ方向に関する相対位置）が変えられ、前板４の高さ方向寸法が変更される。
【００３１】
以上のように各寸法が適切に設定された商品収納展示具において、底板１の上に複数の商品Ｔが縦一列に積み上げ収納されると、背板２を構成する第４部材４０の中間面４３の作用により、最下段の商品Ｔの前端部が上記間隙を通過して、前板４の前方に突出するようになる。すなわち、中間面４３は上から下に行くにつれて次第に前方に行くように傾斜した面とされているので、最下段の商品Ｔの後端部がこの中間面４３の上に載ると、該商品Ｔが前方に向けて案内移動することになる。
【００３２】
最下段の商品Ｔの前端部が前板４の前方に突出すれば、図６に示すようにこの前端部を手で掴んで、一つの商品Ｔを商品収納展示具から取り出すことができる。こうして一つの商品Ｔを商品収納展示具から取り出すと、その上に位置していた商品Ｔが今度は最下段に位置することになる。そこで、その商品Ｔも第４部材４０の中間面４３に案内されて、前端部が前板４の前方に突出するようになる。
【００３３】
なお本実施形態では、前述したように横部材４５の作用により、底板１である第４部材４０の第２面４２の前端部が、展示面Ｓから上方に離れて位置するようになっている。そうであれば、商品Ｔの前端部の下面と展示面Ｓとの間に指を入れやすくなるので、この前端部を簡単に掴むことが可能になる。
【００３４】
以上説明した通り、本実施形態の商品収納展示具によれば、天板３の上に商品サンプルや、あるいは包装を解いた商品実物を置いて展示したまま、縦一列に積み上げた複数の商品Ｔを、最下段のものから順次取り出すことができる。よって、商品が購入される都度、商品サンプルや商品実物を積み上げ商品の上から降ろしたり、また元に戻すといった煩雑な作業が不要となる。また、商品Ｔの取り出しは、第４部材４０の中間面４３の作用により円滑になされ得るから、商品Ｔにキズが付くようなことも防止される。
【００３５】
以上説明した実施形態では、天板３の上に商品のサンプルや実物を置いて展示可能としているが、前板４の前方や天板３の上方に、商品を展示するための展示部を別途設けてもよい。以下、そのように形成された別の実施形態について、図７および図８を参照して説明する。なお図７および図８において、既に説明したものと同等の要素については同じ番号を付してあり、それらについての説明は特に必要の無い限り省略する。
【００３６】
図７は、展示部を構成するラック部材６０の斜視形状を示すものである。図示のようにこのラック部材６０は、スリット６１ａが形成された取付面６１と、この取付面６１から折れ曲がった保持面６２とを有している。保持面６２の先端部は概略コ字状に折り曲げられている。
【００３７】
このラック部材６０は図８に示すように、第２部材の第２面２２および第３部材の第１面３１に各々形成されたスリット２２ａ、３１ａ（共に図示せず。図４参照）と上記スリット６１ａとが整合する状態にして、これら第２面２２および第１面３１の間に挿入され、平頭ビス５０およびそれに螺合する蝶ナット５１を用いて両面２２および３１と一体的に締付け固定される。このラック部材６０を用いれば、図８に示すように、保持面６２のコ字状部分に商品サンプルＴａや、あるいは包装を解いた商品の実物を保持して展示可能となる。
【００３８】
なお、このような展示部は、前板４の前方に配置する他、天板３の上方や、さらには前板４の前方でかつ天板３の上方に当たる所に配置してもよい。
【符号の説明】
【００３９】
１    底板
２    背板
３    天板
４    前板
１０    第１部材
１０ａ  スリット
２０    第２部材
２１    第２部材の第１面
２１ａ  スリット
２２    第２部材の第２面
２２ａ  スリット
３０    第３部材
３１    第３部材の第１面
３１ａ  スリット
３２    第３部材の第２面
３２ａ  スリット
４０    第４部材
４１    第４部材の第１面
４１ａ  スリット
４２    第４部材の第２面
４３    第４部材の中間面（商品案内部）
４４    脚部材
４５    横部材
５０    平頭ビス
５１    蝶ナット
６０    ラック部材
６１    ラック部材の取付面
６１ａ  ラック部材のスリット
６２    ラック部材の保持面
【図１】
0003191102.tif 000003
【図２】
0003191102.tif 000004
【図３】
0003191102.tif 000005
【図４】
0003191102.tif 000006
【図５】
0003191102.tif 000007
【図６】
0003191102.tif 000008
【図７】
0003191102.tif 000009
【図８】
0003191102.tif 000010